(57)【特許請求の範囲】
【請求項１】
建物の出入口の施錠を行う電気錠装置と、前記電気錠装置と通信可能な鍵装置とを備え、
前記電気錠装置は、前記出入口の解錠を行う際に前記建物の外側から操作される操作部と、錠側通信部と、認証部とを有し、
前記鍵装置は、前記錠側通信部と通信を行う鍵側通信部を有しており、
前記操作部が操作され、かつ前記錠側通信部と前記鍵側通信部とが通信を行うことにより前記錠側通信部が受信した前記鍵装置の認証情報に基づいた前記認証部の認証結果に応じて前記出入口を解錠する解錠処理を行う電気錠システムであって、
前記鍵装置が前記建物の内と外とのいずれにあるかを判断する判断部と、
前記判断部の判断結果に応じて、前記解錠処理を有効にする有効モードと前記解錠処理を無効にする無効モードとのいずれかの動作モードを選択するモード選択部とをさらに備え、
前記判断部は、前記操作部に対する解錠操作により前記出入口の解錠が行われた後、一旦開けられた前記出入口が再度閉められた場合に、前記鍵装置が前記建物の内にあると判断する
ことを特徴とする電気錠システム。
【請求項２】
前記操作部は第１操作部であり、
前記電気錠装置は、前記出入口の解錠を行う際に前記建物の内側から操作される第２操作部をさらに有しており、
前記電気錠装置は、前記動作モードが前記有効モードと前記無効モードとのいずれの場合でも前記第２操作部が操作されることにより前記出入口の解錠が可能なように構成されている
ことを特徴とする請求項１記載の電気錠システム。
【請求項３】
前記判断部は、前記解錠処理が行われた後に所定条件が満たされていると、前記鍵装置が前記建物の内にあると判断し、
前記モード選択部は、前記動作モードとして前記無効モードを選択するように構成されている
ことを特徴とする請求項１又は２記載の電気錠システム。
【請求項４】
前記判断部は、前記第２操作部が操作されることにより前記出入口の解錠が行われた後に規定条件が満たされていると、前記鍵装置が前記建物の外にあると判断し、
前記モード選択部は、前記動作モードとして前記有効モードを選択するように構成されている
ことを特徴とする請求項１〜３のいずれか１項に記載の電気錠システム。
【請求項５】
前記鍵装置を複数備え、
前記複数の鍵装置に一対一に対応付けられた複数の前記動作モードを有している
ことを特徴とする請求項１〜４のいずれか１項に記載の電気錠システム。
【請求項６】
前記モード選択部は、前記複数の鍵側通信部と前記錠側通信部とが通信可能である場合に、前記複数の動作モードを一括で選択するように構成されている
ことを特徴とする請求項５記載の電気錠システム。
【請求項７】
建物の出入口の施錠を行う電気錠装置であって、
前記出入口の解錠を行う際に前記建物の外側から操作される操作部と、
錠側通信部と、
認証部とを備え、
前記操作部が操作され、かつ前記錠側通信部と前記鍵装置の鍵側通信部とが通信を行うことにより前記錠側通信部が受信した前記鍵装置の認証情報に基づいた前記認証部の認証結果に応じて前記出入口を解錠する解錠処理を行うように構成されており、
前記鍵装置が前記建物の内と外とのいずれにあるかを判断する判断部と、
前記判断部の判断結果に応じて、前記解錠処理を有効にする有効モードと前記解錠処理を無効にする無効モードとのいずれかの動作モードを選択するモード選択部とをさらに備え、
前記判断部は、前記操作部に対する解錠操作により前記出入口の解錠が行われた後、一旦開けられた前記出入口が再度閉められた場合に、前記鍵装置が前記建物の内にあると判断する
ことを特徴とする電気錠装置。
【発明の詳細な説明】
【技術分野】
【０００１】
本発明は、一般に電気錠システム及び電気錠装置に関し、より詳細には、電気錠装置と鍵装置とが通信を行うことにより電気錠装置にて建物の出入口の解錠を行う電気錠システム、及び当該電気錠システムに用いられる電気錠装置に関する。
【背景技術】
【０００２】
従来、建物の扉に設けられた錠を電動で施錠又は解錠する電気錠システムが提供されている（例えば特許文献１参照）。特許文献１に記載の電気錠システムは、電気錠装置と、携帯機とを備える。電気錠装置は、検知部と、第１通信部と、錠前を駆動する駆動部と、制御部とを有する。携帯機は、メモリと、第２通信部とを有する。携帯機のメモリには、錠前を施錠又は解錠するために必要な認証情報が予め登録されている。電気錠装置の制御部のメモリには、携帯機に割り当てられた認証情報が予め登録されている。
【０００３】
制御部は、第１通信部と第２通信部とが無線通信を行うことにより携帯機から取得した認証情報とメモリに予め登録されている認証情報とを照合し、両者が一致する場合に解錠待ちの状態となる。そして、制御部は、解錠待ちの状態で検知部から検知信号が入力されると、駆動部を制御して錠前を解錠させる。
【先行技術文献】
【特許文献】
【０００４】
【特許文献１】特開２０１６−３０８９４号公報
【発明の概要】
【発明が解決しようとする課題】
【０００５】
ところで、特許文献１に記載のような電気錠システムにおいて、携帯機（鍵装置）からの電波が届く範囲を広くしたり、特殊な間取りの建物に対応させようとした場合に、鍵装置が建物内にあるにもかかわらず、建物の外からの解錠を許可する可能性があった。
【０００６】
本発明は上記課題に鑑みてなされており、建物の出入口を建物の外から不正に解錠されにくくすることができる電気錠システム及び電気錠装置を提供することを目的とする。
【課題を解決するための手段】
【０００７】
本発明の一態様に係る電気錠システムは、電気錠装置と、鍵装置とを備えている。前記電気錠装置は、建物の出入口の施錠を行う。前記鍵装置は、前記電気錠装置と通信可能である。前記電気錠装置は、操作部と、錠側通信部と、認証部とを有している。前記操作部は、前記出入口の解錠を行う際に前記建物の外側から操作される。前記鍵装置は、前記錠側通信部と通信を行う鍵側通信部を有している。電気錠システムは、前記操作部が操作され、かつ前記錠側通信部と前記鍵側通信部とが通信を行うことにより前記錠側通信部が受信した前記鍵装置の認証情報に基づいた前記認証部の認証結果に応じて前記出入口を解錠する解錠処理を行う。電気錠システムは、判断部と、モード選択部とをさらに備えている。前記判断部は、前記鍵装置が前記建物の内と外とのいずれにあるかを判断する。前記モード選択部は、前記判断部の判断結果に応じて、前記解錠処理を有効にする有効モードと前記解錠処理を無効にする無効モードとのいずれかの動作モードを選択する。前記判断部は、前記操作部に対する解錠操作により前記出入口の解錠が行われた後、一旦開けられた前記出入口が再度閉められた場合に、前記鍵装置が前記建物の内にあると判断する。
【０００８】
本発明の一態様に係る電気錠装置は、建物の出入口の施錠を行う。電気錠装置は、操作部と、錠側通信部と、認証部とを備えている。前記操作部は、前記出入口の解錠を行う際に前記建物の外側から操作される。電気錠装置は、前記操作部が操作され、かつ前記認証部の認証結果に応じて前記出入口を解錠する解錠処理を行うように構成されている。前記認証部の認証は、前記錠側通信部と前記鍵装置の鍵側通信部とが通信を行うことにより前記錠側通信部が受信した前記鍵装置の認証情報に基づいて行われる。また、電気錠装置は、判断部と、モード選択部とをさらに備えている。前記判断部は、前記鍵装置が前記建物の内と外とのいずれにあるかを判断する。前記モード選択部は、前記判断部の判断結果に応じて、前記解錠処理を有効にする有効モードと前記解錠処理を無効にする無効モードとのいずれかの動作モードを選択する。前記判断部は、前記操作部に対する解錠操作により前記出入口の解錠が行われた後、一旦開けられた前記出入口が再度閉められた場合に、前記鍵装置が前記建物の内にあると判断する。
【発明の効果】
【０００９】
本発明によれば、建物の出入口を建物の外から不正に解錠されにくくすることができる、という効果がある。
【図面の簡単な説明】
【００１０】
【図１】図１は、本発明の一実施形態に係る電気錠システムの構成を示すブロック図である。
【図２】図２Ａ及び図２Ｂは、同上の電気錠システムの動作を説明するための説明図である。
【図３】図３は、同上の電気錠システムの動作を説明するためのフローチャートである。
【発明を実施するための形態】
【００１１】
（１）電気錠システムの概要
本実施形態に係る電気錠システム１０は、図２Ａ及び図２Ｂに示すように、鍵装置１と、電気錠装置２と、を備えている。
【００１２】
電気錠装置２は、建物３の出入口４の施錠を行う装置である。ここでいう建物３の「出入口」とは、建物３の内（宅内３１）と外（宅外３２）とを隔てる扉又は窓であって、例えば、玄関扉、勝手口又は掃出窓等である。電気錠装置２は、出入口４に設置されている。ここで、電気錠装置２は、鍵装置１と通信可能に構成されており、鍵装置１との通信によって、出入口４を施錠する施錠状態と出入口４を解錠する解錠状態との切り替えを電気的に行う。
【００１３】
鍵装置１は、電気錠装置２との通信機能を有している。本実施形態では、鍵装置１と電気錠装置２との間の通信方式は、電波を媒体とする無線通信である。鍵装置１は、ユーザ５によって携帯可能となるように、電池駆動式で、かつ適度なサイズに構成されている。本実施形態では、鍵装置１は、ユーザ５が所持する鞄等に取付可能なタグ状に構成されている（図２Ａ参照）。
【００１４】
本実施形態では、建物３が戸建住宅である場合を例として説明する。ユーザ５は、建物３（戸建住宅）の住人のうち、鍵装置１を所持（携帯）する人である。
【００１５】
電気錠システム１０の基本的な機能としては、鍵装置１に予め記憶されている鍵ＩＤ（Identification）を、鍵装置１が電気錠装置２に送信することによって、電気錠装置２での出入口４の解錠を可能にする。すなわち、鍵装置１と電気錠装置２とが通信し、鍵装置１の持つ鍵ＩＤの認証が成功した場合に、電気錠装置２は出入口４の解錠が可能な状態となる。そして、電気錠装置２は、認証の成功後、第１操作部２５又は第２操作部２６（ともに図１参照）の所定の操作（解錠操作）を待って出入口４の解錠を行う。結果的に、電気錠装置２は、鍵装置１との通信によって、施錠状態から解錠状態へ切り替える解錠動作を行う。ここに、本実施形態では、上述の鍵ＩＤが鍵装置１の認証情報である。
【００１６】
上述したような電気錠装置２による解錠動作は、ユーザ５が宅外３２に居るとき、つまりユーザ５の帰宅時と、ユーザ５が宅内３１に居るとき、つまりユーザ５の外出時との少なくとも一方において行われる。本実施形態では、ユーザ５の帰宅時と外出時との両方において、電気錠装置２による解錠動作が行われる。すなわち、ユーザ５の帰宅時には、宅外３２に居るユーザ５が、例えば鍵装置１と電気錠装置２との間の通信用の電波が届く程度に出入口４に近づいた状態で、ユーザ５の所持する鍵装置１が電気錠装置２と通信することで、出入口４が解錠可能となる。同様に、ユーザ５の外出時には、宅内３１に居るユーザ５が、例えば鍵装置１と電気錠装置２との間の通信用の電波が届く程度に出入口４に近づいた状態で、ユーザ５の所持する鍵装置１が電気錠装置２と通信することで、出入口４が解錠可能となる。ただし、ユーザ５の外出時には、必ずしも鍵装置１と電気錠装置２とが通信を行って鍵装置１の鍵ＩＤの認証を行う必要はなく、第２操作部２６による解錠操作のみで出入口４の解錠を行ってもよい。
【００１７】
また、本実施形態では詳しい説明は省略するが、電気錠装置２は、出入口４が解錠されている状態において、鍵装置１との通信によって鍵ＩＤの認証が成功し、第１操作部２５又は第２操作部２６にて所定の操作（施錠操作）がなされると、出入口４の施錠を行う。つまり、電気錠装置２は、解錠操作だけでなく、鍵装置１との通信によって、解錠状態から施錠状態へ切り替える施錠動作も行うことができる。
【００１８】
（２）鍵装置の構成
次に、本実施形態に係る鍵装置１の構成について、図１を参照して説明する。
【００１９】
鍵装置１は、鍵側通信部１１と、制御部１２と、記憶部１３と、を備えている。
【００２０】
記憶部１３は、例えば、不揮発性メモリからなる。記憶部１３には、鍵装置１に固有の鍵ＩＤが記憶されている。
【００２１】
鍵側通信部１１は、電気錠装置２と通信可能に構成されている。鍵側通信部１１と電気錠装置２（錠側通信部２１）との間の通信方式は、例えば、Bluetooth（登録商標）等の電波を媒体とした無線通信である。本実施形態では、鍵装置１は、電気錠装置２に信号を送信するだけでなく、例えば、接続要求信号、ＩＤ要求信号等の信号を電気錠装置２（錠側通信部２１）から受信する。そのため、鍵側通信部１１は、信号の送信機能及び受信機能を有しており、錠側通信部２１との間で双方向の通信を行う。
【００２２】
制御部１２は、本実施形態ではＣＰＵ（Central Processing Unit）及びメモリを主構成とするマイクロコンピュータにて構成されている。言い換えれば、制御部１２は、ＣＰＵ及びメモリを有するコンピュータにて実現されており、ＣＰＵがメモリに格納されているプログラムを実行することにより、コンピュータが制御部１２として機能する。ＣＰＵが実行するプログラムは、ここではマイクロコンピュータのメモリに予め記録されているが、インターネット等の電気通信回線を通じて、又はメモリカード等の記録媒体に記録されて提供されてもよい。
【００２３】
制御部１２は、鍵側通信部１１を制御する。制御部１２は、少なくとも電気錠装置２（錠側通信部２１）からの信号を鍵側通信部１１にて受信させることによって、電気錠装置２での出入口４の解錠を可能にする。具体的には、制御部１２は、錠側通信部２１から送信される、鍵側通信部１１と錠側通信部２１との通信を開始させるための信号（接続要求信号）を鍵側通信部１１に受信させる。これに対して、制御部１２は、鍵側通信部１１から錠側通信部２１に対して、接続要求信号に対する応答信号（ＡＣＫ：ACKnowledgement）を送信させる。鍵側通信部１１と錠側通信部２１との通信が成立すると、制御部１２は、記憶部１３から鍵ＩＤを読み出し、鍵側通信部１１から錠側通信部２１に対して、鍵ＩＤを含む信号（ＩＤ信号）を送信させる。
【００２４】
（３）電気錠装置の構成
次に、電気錠装置２の構成について、図１を参照して説明する。
【００２５】
電気錠装置２は、錠側通信部２１と、信号処理部２２と、認証部２３と、錠駆動部２４と、第１操作部２５と、第２操作部２６と、を備えている。信号処理部２２は、判断部２２１と、モード選択部２２２と、記憶部２２３と、を有している。電気錠装置２は、例えば出入口４（図２Ａ参照）となる扉（例えば玄関扉）に内蔵されている。電気錠装置２は、系統電源（商用電源）等の外部電源から電力供給を受けて動作してもよいし、電池駆動式であってもよい。
【００２６】
錠側通信部２１は、鍵装置１（鍵側通信部１１）と通信可能に構成されている。上述したように、錠側通信部２１と鍵装置（鍵側通信部１１）とは双方向に通信を行うので、錠側通信部２１は、信号の送信機能及び受信機能を有している。
【００２７】
認証部２３には、少なくとも１つの登録ＩＤが登録（記憶）されている。登録ＩＤは、鍵装置１の鍵ＩＤに対応している。例えば、建物３の住人がそれぞれ個別の鍵装置１を所持するような場合、つまり電気錠システム１０が複数台の鍵装置１を含む場合には、認証部２３には、これら複数台の鍵装置１の鍵ＩＤに対応する複数の登録ＩＤが登録されている。錠駆動部２４は、出入口４の錠前を駆動することで、施錠状態と解錠状態との切り替えを行う。
【００２８】
信号処理部２２は、本実施形態ではＣＰＵ及びメモリを主構成とするマイクロコンピュータにて構成されている。言い換えれば、信号処理部２２は、ＣＰＵ及びメモリを有するコンピュータにて実現されており、ＣＰＵがメモリに格納されているプログラムを実行することにより、コンピュータが信号処理部２２として機能する。ＣＰＵが実行するプログラムは、ここではマイクロコンピュータのメモリに予め記録されているが、インターネット等の電気通信回線を通じて、又はメモリカード等の記録媒体に記録されて提供されてもよい。
【００２９】
信号処理部２２は、錠側通信部２１、認証部２３及び錠駆動部２４の制御を行う。信号処理部２２は、鍵装置１（鍵側通信部１１）に対して、錠側通信部２１から定期的に信号（接続要求信号）を送信させる。信号処理部２２は、接続要求信号への応答として鍵装置１からの応答信号（ＡＣＫ）を錠側通信部２１が受信した場合には、通信が成立したと判断し、錠側通信部２１から鍵側通信部１１に鍵ＩＤを要求する信号（ＩＤ要求信号）を送信させる。信号処理部２２は、ＩＤ要求信号への応答として、鍵ＩＤを含む信号（ＩＤ信号）を錠側通信部２１が受信すると、ＩＤ信号に含まれる鍵ＩＤと認証部２３に予め登録されている登録ＩＤとの照合を認証部２３に行わせることで、鍵ＩＤの認証処理を実行する。鍵ＩＤの認証に成功すると、本実施形態では、信号処理部２２は、第１操作部２５又は第２操作部２６に対する所定の操作（解錠操作）をトリガにし、錠駆動部２４を制御して出入口４の解錠を行う。
【００３０】
第１操作部２５及び第２操作部２６は、ユーザ５による操作を受け付ける機能を持つ。第１操作部２５は、例えば出入口４の宅外３２側に設けられた押釦スイッチからなる。第２操作部２６は、例えば出入口４の宅内３１側に設けられた押釦スイッチからなる。第１操作部２５及び第２操作部２６は、例えば、出入口４の扉に備わっているドアハンドル（取っ手）であってもよいし、ユーザ５がドアハンドルに触れる操作を検知するタッチセンサ等であってもよい。なお、第２操作部２６は出入口４の宅内３１側に設けられているため、通常、第２操作部２６は建物３の住人によって操作される。そのため、宅内３１から出入口４の解錠を行う場合には、鍵装置１の鍵ＩＤの認証処理が行われなくてもよい。ただし、宅内３１から出入口４の解錠を行う場合に、鍵装置１の鍵ＩＤの認証処理を行うか否かは任意である。
【００３１】
判断部２２１は、信号処理部２２に設けられており、ＣＰＵがメモリに格納されているプログラムを実行することにより、コンピュータが判断部２２１として機能する。判断部２２１は、鍵装置１が建物３の内（宅内３１）と外（宅外３２）とのいずれにあるかを判断する。このとき、判断部２２１は、第１操作部２５に対する所定の操作（解錠操作）により出入口４の解錠を行った後に、所定条件（第１条件）を満たしているか否かにより、鍵装置１が宅内３１と宅外３２とのいずれにあるかを判断する。また、判断部２２１は、第２操作部２６に対する所定の操作（解錠操作）により出入口４の解錠を行った後に、規定条件（第２条件）を満たしているか否かにより、鍵装置１が宅内３１と宅外３２とのいずれにあるかを判断する。
【００３２】
ここで、第１操作部２５は、上述のように、出入口４の宅外３２側に設けられている。つまり、ユーザ５は、第１操作部２５に対して宅外３２から解錠操作を行うことになる。また、所定条件は、例えば、出入口４となる玄関扉が一旦開けられた後、再度閉められることである。この場合、ユーザ５が出入口４を通って宅外３２から宅内３１に入ったと推定される。したがって、判断部２２１は、上述の条件を満たしている場合には、鍵装置１が建物３の内（宅内３１）にあると判断する。ただし、上述の条件だけでは、鍵装置１が必ずしも宅内３１にあるとは判断できないため、実際には、判断部２２１は、鍵装置１が宅内３１にあると推定することになる。
【００３３】
また、第２操作部２６は、上述のように、出入口４の宅内３１側に設けられている。つまり、ユーザ５は、第２操作部２６に対して宅内３１から解錠操作を行うことになる。また、規定条件は、例えば、出入口４となる玄関扉が一旦開けられた後、再度閉められることである。この場合、ユーザ５が出入口４を通って宅内３１から宅外３２に出て行ったと推定される。したがって、判断部２２１は、上述の条件を満たしている場合には、鍵装置１が建物３の外（宅外３２）にあると判断する。ただし、上述の条件だけでは、鍵装置１が必ずしも宅外３２にあるとは判断できないため、実際には、判断部２２１は、鍵装置１が宅外３２にあると推定することになる。
【００３４】
モード選択部２２２は、判断部２２１と同様に信号処理部２２に設けられており、ＣＰＵがメモリに格納されているプログラムを実行することにより、コンピュータがモード選択部２２２として機能する。モード選択部２２２は、判断部２２１の判断結果に応じて、電気錠装置２の動作モードを選択可能に構成されている。電気錠装置２の動作モードとしては、第１操作部２５による宅外３２からの解錠操作を有効とする「有効モード」と、第１操作部２５による宅外３２からの解錠操作を無効とする「無効モード」とのいずれかが選択される。「有効モード」とは、鍵装置１の鍵ＩＤの認証が成功し、かつ第１操作部２５に対して所定の操作（解錠操作）が行われた場合に、出入口４の解錠を許可するモードである。「無効モード」とは、鍵装置１の鍵ＩＤの認証に成功し、かつ第１操作部２５に対して所定の操作（解錠操作）が行われた場合に、出入口４の解錠を許可しないモードである。
【００３５】
ここで、鍵装置１が建物３の外（宅外３２）にあると判断部２２１が判断した場合、鍵装置１を所持したユーザ５が宅外３２にいることが想定されるため、モード選択部２２２は、電気錠装置２の動作モードとして「有効モード」を選択することが好ましい。この場合、電気錠装置２の動作モードが「有効モード」であるため、例えば図２Ａに示すように、外出先から帰宅したユーザ５が第１操作部２５に対して解錠操作を行うことにより出入口４の解錠を行うことができる。つまり、本実施形態では、電気錠装置２の動作モードが「有効モード」である場合、第１操作部２５による解錠操作を受け付けるように構成されている。
【００３６】
一方、鍵装置１が建物３の内（宅内３１）にあると判断部２２１が判断した場合、鍵装置１を所持したユーザ５が宅内３１にいることが想定されるため、モード選択部２２２は、電気錠装置２の動作モードとして「無効モード」を選択することが好ましい。この場合、電気錠装置２の動作モードが「無効モード」であるため、例えば図２Ｂに示すように、鍵装置１を所定していない不審者６が第１操作部２５に対して解錠操作を行っても出入口４が解錠されない。つまり、本実施形態では、電気錠装置２の動作モードが「無効モード」である場合、第１操作部２５による解錠操作を受け付けないように構成されている。このように、鍵装置１が宅内３１にある場合に電気錠装置２の動作モードを「無効モード」にすることで、建物３の出入口４を建物３の外から不正に解錠されにくくすることができる。
【００３７】
記憶部２２３は、例えばマイクロコンピュータのメモリからなる。記憶部２２３には、モード選択部２２２により選択された電気錠装置２の動作モードが記憶されている。
【００３８】
（４）動作
次に、本実施形態の電気錠システム１０（電気錠装置２）の動作について、図３を参照して説明する。図３は、電気錠システム１０（電気錠装置２）の動作例を示すフローチャートである。なお、以下の説明では、鍵装置１と電気錠装置２との通信により鍵装置１の鍵ＩＤの認証が成功していると仮定する。
【００３９】
電気錠装置２の信号処理部２２は、第１操作が行われたか否かを判断する（ステップＳＴ１）。ここで、「第１操作」とは、ユーザ５によって行われる第１操作部２５に対する所定の操作（解錠操作）のことである。第１操作が行われた場合（ステップＳＴ１のＹｅｓ）、信号処理部２２は、電気錠装置２の動作モードが「有効モード」であるか否かを判断する（ステップＳＴ２）。電気錠装置２の動作モードが「有効モード」である場合（ステップＳＴ２のＹｅｓ）、信号処理部２２は、錠駆動部２４により出入口４の錠前を駆動させて出入口４を解錠する（ステップＳＴ３）。言い換えると、信号処理部２２は、第１操作部２５に対する解錠操作によって行われる解錠処理を錠駆動部２４に行わせる。
【００４０】
その後、信号処理部２２の判断部２２１は、上述の所定条件を満たしているか否かを判断する（ステップＳＴ４）。上述の所定条件を満たしている場合（ステップＳＴ４のＹｅｓ）、判断部２２１は、鍵装置１が建物３の内（宅内３１）にあると判断（推定）する。そして、モード選択部２２２は、判断部２２１の判断結果に従って、電気錠装置２の動作モードとして「無効モード」を選択する（ステップＳＴ５）。つまり、この場合には、「有効モード」であった電気錠装置２の動作モードが「無効モード」になる。モード選択部２２２により選択された「無効モード」との動作モードは、記憶部２２３に記憶される。なお、ステップＳＴ２において電気錠装置２の動作モードが「無効モード」である場合、ステップＳＴ４において所定条件を満たしていない場合には、ステップＳＴ１に戻る。
【００４１】
ステップＳＴ１において第１操作が行われていない場合（ステップＳＴ１のＮｏ）、信号処理部２２は、第２操作が行われたか否かを判断する（ステップＳＴ６）。ここで、第２操作とは、ユーザ５によって行われる第２操作部２６に対する所定の操作（解錠操作）のことである。第２操作が行われた場合（ステップＳＴ６のＹｅｓ）、信号処理部２２は、錠駆動部２４により出入口４の錠前を駆動させて出入口４を解錠する（ステップＳＴ７）。その後、信号処理部２２は、電気錠装置２の動作モードが「無効モード」であるか否かを判断する（ステップＳＴ８）。電気錠装置２の動作モードが「無効モード」である場合（ステップＳＴ８のＹｅｓ）、信号処理部２２の判断部２２１は、上述の規定条件を満たしているか否かを判断する（ステップＳＴ９）。上述の規定条件を満たしている場合（ステップＳＴ９のＹｅｓ）、判断部２２１は、鍵装置１が建物３の外（宅外３２）にあると判断（推定）する。そして、モード選択部２２２は、判断部２２１の判断結果に従って、電気錠装置２の動作モードとして「有効モード」を選択する（ステップＳＴ１０）。つまり、この場合には、「無効モード」であった電気錠装置２の動作モードが「有効モード」になる。モード選択部２２２により選択された「有効モード」との動作モードは、記憶部２２３に記憶される。なお、ステップＳＴ６において第２操作が行われていない場合、ステップＳＴ８において電気錠装置２の動作モードが「無効モード」でない場合、ステップＳＴ９において規定条件を満たしていない場合には、ステップＳＴ１に戻る。
【００４２】
ところで、上述の規定条件を満たすことで電気錠装置２の動作モードが「有効モード」になっている状態において、鍵側通信部１１と錠側通信部２１とが継続して通信を行っている場合には、電気錠装置２の動作モードを再度「無効モード」にすることが好ましい。この場合、上述の規定条件を満たしているものの、鍵装置１が電気錠装置２との通信圏内に留まっていることから、判断部２２１は、鍵装置１が建物３の内（宅内３１）にあると判断（推定）することができる。したがって、この場合には、電気錠装置２の動作モードとして、一旦「有効モード」を選択した後であっても再度「無効モード」を選択することが好ましい。
【００４３】
また、上述の規定条件を満たすことで電気錠装置２の動作モードが「有効モード」になっている状態において、一定時間の間、受信信号強度が変化しない場合には、電気錠装置２の動作モードを再度「無効モード」にすることが好ましい。この場合、上述の規定条件を満たしているものの、受信信号強度（ＲＳＳＩ：Received Signal Strength Indicator）がほとんど変化しないことから、判断部２２１は、鍵装置１が建物３の内（宅内３１）にあると判断（推定）することができる。したがって、この場合には、電気錠装置２の動作モードとして、一旦「有効モード」を選択した後であっても再度「無効モード」を選択することが好ましい。例えば、見送り等で自宅にいながら「有効モード」になってしまった場合でも、再度「無効モード」にすることができ、これによりセキュリティ性を確保することができる。
【００４４】
以上説明したように、本実施形態の電気錠システム１０は、電気錠装置２と、鍵装置１と、を備えている。電気錠装置２は、建物３の出入口４の施錠を行う。鍵装置１は、電気錠装置２と通信可能である。電気錠装置２は、操作部（第１操作部２５）と、錠側通信部２１と、認証部２３とを有している。操作部は、出入口４の解錠を行う際に建物３の外側から操作される。鍵装置１は、錠側通信部２１と通信を行う鍵側通信部１１を有している。この電気錠システム１０は、操作部が操作され、かつ錠側通信部２１と鍵側通信部１１とが通信を行うことにより錠側通信部２１が受信した鍵装置１の認証情報に基づいた認証部２３の認証結果に応じて出入口４を解錠する解錠処理を行う。また、この電気錠システム１０は、判断部２２１と、モード選択部２２２とをさらに備えている。判断部２２１は、鍵装置１が建物３の内と外とのいずれにあるかを判断する。モード選択部２２２は、判断部２２１の判断結果に応じて、解錠処理を有効にする有効モードと解錠処理を無効にする無効モードとのいずれかの動作モードを選択する。この構成によれば、鍵装置１が建物３の内にあると判断部２２１が判断した場合、モード選択部２２２が無効モードを選択することで建物３の外からの解錠処理が無効になり、これにより建物３の出入口４を建物３の外から不正に解錠されにくくすることができる。また、判断部２２１の判断結果に応じてモード選択部２２２により自動的に動作モードを選択することができるので、動作モードの選択し忘れがなく、セキュリティ性を高めることができる。
【００４５】
また、本実施形態の電気錠システム１０のように、電気錠装置２は、出入口４の解錠を行う際に建物３の内側から操作される第２操作部２６をさらに有していることが好ましい。この場合、操作部は第１操作部２５である。そして、電気錠装置２は、動作モードが有効モードと無効モードとのいずれの場合でも第２操作部２６が操作されることにより出入口４の解錠が可能なように構成されていることが好ましい。この構成によれば、電気錠システム１０の動作モードが有効モードと無効モードとのいずれの場合であっても、建物３の内側からは第２操作部２６を操作するだけで出入口４の解錠を行うことができる。また、建物３の内側からの解錠操作時において動作モードを意識しなくてもよいという利点もある。ただし、この構成は電気錠システム１０の必須の構成ではなく、第２操作部２６は省略されていてもよい。
【００４６】
また、本実施形態の電気錠システム１０のように、判断部２２１は、解錠処理が行われた後に所定条件が満たされていると、鍵装置１が建物３の内にあると判断するように構成されていることが好ましい。この場合、モード選択部２２２は、動作モードとして無効モードを選択するように構成されていることが好ましい。この構成によれば、建物３の外から解錠処理を行った場合には、ユーザ５が建物３の内に入ったことが想定されるため、動作モードを無効モードにすることで、建物３の出入口４を建物３の外から不正に解錠されにくくすることができる。ただし、この構成は電気錠システム１０の必須の構成ではなく、建物３の外からの解錠処理を行った後に所定条件が満たされている場合に、動作モードを無効モードにするように構成されていなくてもよい。
【００４７】
また、本実施形態の電気錠システム１０のように、判断部２２１は、第２操作部２６が操作されることにより出入口４の解錠が行われた後に規定条件が満たされていると、鍵装置１が建物３の外にあると判断するように構成されていることが好ましい。この場合、モード選択部２２２は、動作モードとして有効モードを選択するように構成されていることが好ましい。この構成によれば、建物３の内側から出入口４の解錠を行った場合には、ユーザ５が建物３の外に出ていくことが想定されるため、動作モードを有効モードにすることで、ユーザ５の帰宅時に建物３の外から解錠処理を行うことができる。ただし、この構成は電気錠システム１０の必須の構成ではなく、建物３の内側から解錠処理を行った後に規定条件が満たされている場合に、動作モードを有効モードにするように構成されていなくてもよい。
【００４８】
本実施形態の電気錠装置２は、建物３の出入口４の施錠を行う。電気錠装置２は、操作部（第１操作部２５）と、錠側通信部２１と、認証部２３とを備えている。操作部は、出入口４の解錠を行う際に建物３の外側から操作される。電気錠装置２は、操作部が操作され、かつ錠側通信部２１と鍵装置１の鍵側通信部１１とが通信を行うことにより錠側通信部２１が受信した鍵装置１の認証情報に基づいた認証部２３の認証結果に応じて出入口４を解錠する解錠処理を行うように構成されている。電気錠装置２は、判断部２２１と、モード選択部２２２とをさらに備えている。判断部２２１は、鍵装置１が建物３の内と外とのいずれにあるかを判断する。モード選択部２２２は、判断部２２１の判断結果に応じて、解錠処理を有効にする有効モードと解錠処理を無効にする無効モードとのいずれかの動作モードを選択する。この構成によれば、鍵装置１が建物３の内にあると判断部２２１が判断した場合には、モード選択部２２２が無効モードを選択することで建物３の外からの解錠処理が無効になり、これにより建物３の出入口４を建物３の外から不正に解錠されにくくすることができる。また、判断部２２１の判断結果に応じてモード選択部２２２により自動的に動作モードを選択することができるので、動作モードの選択し忘れがなく、セキュリティ性を高めることができる。
【００４９】
以下、本実施形態の変形例について説明する。
【００５０】
建物３は、戸建住宅に限らず、例えば集合住宅の各住戸等の戸建住宅以外の住宅、又は事務所や店舗、介護施設等の非住宅であってもよい。
【００５１】
また、鍵装置１は、上述の実施形態のようにタグ状の装置に限らず、例えば、ＩＣカード等であってもよいし、更には、スマートフォン等の汎用の端末にて構成されていてもよい。
【００５２】
さらに、鍵装置１と電気錠装置２との間の通信方式は、Bluetooth（登録商標）に限らず、その他の電波を媒体とした無線通信、又は赤外線等の光を媒体とする光通信等であってもよい。
【００５３】
また、上述の実施形態では、鍵ＩＤの認証は電気錠装置２で行われているが、この例に限らず、例えば鍵装置１にて、鍵ＩＤの認証を行ってもよい。つまり、電気錠装置２に予め記憶されている錠ＩＤが電気錠装置２から鍵装置１に送信され、鍵装置１にて錠ＩＤと鍵ＩＤとの照合を行って、両者が一致した場合に、認証信号を電気錠装置２に送信してもよい。この場合、電気錠装置２は、鍵装置１から認証信号を受信することで、出入口４の解錠を可能にする。
【００５４】
さらに、上述の実施形態では、判断部２２１が電気錠装置２に設けられているが、判断部は鍵装置１に設けられていてもよい。この場合、出入口４となる玄関扉の開閉情報が電気錠装置２から鍵装置１に送信され、上記開閉情報をもとに、鍵装置１の判断部にて鍵装置１が建物３の内と外とのいずれにあるかを判断する。そして、判断部の判断結果は鍵装置１から電気錠装置２に送信され、電気錠装置２のモード選択部２２２にて上記判断結果に基づいて電気錠装置２の動作モードが選択される。
【００５５】
また、上述の実施形態では、第１操作部２５に対する所定の操作（解錠操作）が行われる前に、鍵装置１の鍵ＩＤの認証処理を行っているが、第１操作部２５に対する所定の操作が行われた後に、鍵ＩＤの認証処理を行ってもよい。
【００５６】
さらに、上述の実施形態では、電気錠装置２の動作モードが「無効モード」である場合において、第１操作部２５による解錠操作を受け付けないように構成されているが、例えば鍵装置１から送信される鍵ＩＤを受信しないように構成されていてもよい。鍵ＩＤを受信しない場合には、認証部２３にて認証処理が行われないため、第１操作部２５に対して解錠操作が行われても、出入口４の解錠が行われない。その結果、上述の実施形態と同様に、建物３の出入口４を建物３の外から不正に解錠されにくくすることができる。また、接続要求信号に対して応答信号を送信してきた鍵装置１に対応する動作モードが「無効モード」である場合に、上記応答信号を受信しないように構成されていてもよい。
【００５７】
また、上述の実施形態では、電気錠装置２の動作モードを例に説明したが、鍵装置１の動作モードであってもよい。この場合、鍵装置１の動作モードが「無効モード」であれば、電気錠装置２から送信される接続要求信号を受信しないように構成されていてもよいし、ＩＤ要求信号を受信しないように構成されていてもよい。さらに、電気錠装置２から送信されるＩＤ要求信号に対してＩＤ信号を送信しないように構成されていてもよい。いずれの場合も、上述の実施形態と同様に、建物３の出入口４を建物３の外から不正に解錠されにくくすることができる。
【００５８】
さらに、上述の動作モードには、鍵装置１の動作モードと電気錠装置２の動作モードとの両方が含まれていてもよい。この場合には、判断部２２１の判断結果に応じて、モード選択部２２２にて鍵装置１の動作モードと電気錠装置２の動作モードとの両方が同時に選択されることになる。
【００５９】
また、上述の実施形態では、鍵装置１が１つであるが、鍵装置１は複数であってもよい。この場合、建物３の外からの解錠処理の「有効」、「無効」を設定する動作モードについては、複数の鍵装置１に対して一対一に対応するように複数の動作モードを有していることが好ましい。言い換えると、電気錠システム１０は、鍵装置１を複数備え、複数の鍵装置１に一対一に対応付けられた複数の動作モードを有していることが好ましい。この構成によれば、複数の鍵装置１の各々に対して個別に動作モードを設定することができる。ただし、この構成は電気錠システム１０の必須の構成ではなく、複数の鍵装置１に対して１つの動作モードが対応するように構成されていてもよい。
【００６０】
さらに、複数の鍵装置１が用いられる場合には、複数の鍵装置１の鍵側通信部１１が電気錠装置２の錠側通信部２１と通信可能なエリアにあれば、複数の鍵装置１に一対一に対応付けられた複数の動作モードを一括で選択するように構成されていることが好ましい。言い換えると、電気錠システム１０において、モード選択部２２２は、複数の鍵側通信部１１と錠側通信部２１とが通信可能である場合に、複数の動作モードを一括で選択するように構成されていることが好ましい。この構成によれば、例えば複数のユーザ５が一緒に建物３内に入った場合には、複数の鍵装置１に一対一に対応付けられた複数の動作モードを同じモードにすることで、利便性が損なわれないという利点がある。ただし、この構成は電気錠システム１０の必須の構成ではなく、複数の鍵側通信部１１と錠側通信部２１とが通信可能である場合に、複数の動作モードを一括で選択するように構成されていなくてもよい。
【００６１】
また、上述の実施形態における「所定条件」及び「規定条件」は一例である。例えば、「所定条件」及び「規定条件」に受信信号強度が用いられていてもよい。この場合、出入口４に近づくことで強くなった受信電波強度が、出入口４から離れることで弱くなった場合に、「所定条件」及び「規定条件」を満たしていると判断すればよい。また、「所定条件」と「規定条件」とは、上述の実施形態及び本変形例のように同じであってもよいし、異なっていてもよい。
【００６２】
ところで、鍵装置１が、例えばスマートフォンなどの電話機能を有する機器である場合、宅外３２の鍵装置１から宅内３１の鍵装置１に電話することにより、電気錠装置２の動作モードとして「有効モード」が選択されるように構成されていてもよい。例えば、ユーザ５が鍵装置１を宅内３１に忘れてしまい、電気錠装置２の動作モードが「無効モード」になっている場合には、ユーザ５であっても建物３の外から出入口４の解錠を行うことができない。したがって、このような場合でも建物３の外から出入口４の解錠を行うことができるように、電話機能により動作モードを切り替えられるように構成されていることが好ましい。
【符号の説明】
【００６３】
１  鍵装置
２  電気錠装置
３  建物
４  出入口
１０  電気錠システム
１１  鍵側通信部
２１  錠側通信部
２３  認証部
２５  第１操作部（操作部）
２６  第２操作部
２２１  判断部
２２２  モード選択部
【図１】
0006765070.tif 000002
【図２】
0006765070.tif 000003
【図３】
0006765070.tif 000004